(57)【要約】  【課題】  飲料の保温性あるいは保冷性を向上させ、把持しても熱さや冷たさを感じにくくすることを前提とし、さらに、不使用時の持ち運びに優れ、かつ飲料ボトルを安定して置くことのできる飲料ボトル用カバーを提供する。  【解決手段】  本発明は、飲料ボトル１０の外側を覆うことのできる飲料ボトル用カバー１であって、飲料ボトル１０の飲み口側から挿通可能な上部リング部２と、上部リング部２から筒状に延出して、飲料ボトル１０の外側面を被覆可能な筒状被覆部３と、筒状被覆部３の上部リング部２と反対側に接続される下部リング部５と、を備え、筒状被覆部３が下部リング部５を芯として上部リング部２までリング状に巻回可能な構造を持つ飲料ボトル用カバー１に関する。【選択図】図１
2017047904.tif 000002
【特許請求の範囲】
【請求項１】
飲料ボトルの外表面を覆うことのできる飲料ボトル用カバーであって、
前記飲料ボトルの飲み口側から挿通可能な上部リング部と、
前記上部リング部から筒状に延出して、前記飲料ボトルの外側面を被覆可能な筒状被覆部と、
前記筒状被覆部の前記上部リング部と反対側に接続される下部リング部と、
を備え、
前記筒状被覆部が前記下部リング部を芯として前記上部リング部までリング状に巻回可能な構造を持つ飲料ボトル用カバー。
【請求項２】
前記筒状被覆部は、それを前記上部リング部から下方に向かって延ばした際に、前記下部リング部が前記飲料ボトルの底部を超える長さを有する請求項１に記載の飲料ボトル用カバー。
【請求項３】
前記筒状被覆部は、第一ゴム状弾性体の膜から主に成る請求項１または請求項２に記載の飲料ボトル用カバー。
【請求項４】
前記第一ゴム状弾性体は、シリコーンゴムを含む請求項３に記載の飲料ボトル用カバー。
【請求項５】
前記下部リング部は、少なくともその表面を第二ゴム状弾性体から構成する請求項１から請求項４のいずれか１項に記載の飲料ボトル用カバー。
【請求項６】
前記第二ゴム状弾性体は、シリコーンゴムを含む請求項５に記載の飲料ボトル用カバー。
【請求項７】
前記上部リング部、前記筒状被覆部および前記下部リング部を一体とするゴム状弾性体から成る請求項１から請求項６のいずれか１項に記載の飲料ボトル用カバー。
【請求項８】
前記上部リング部と接続され若しくは別体にてリング状のタブを備える請求項１から請求項７のいずれか１項に記載の飲料ボトル用カバー。
【発明の詳細な説明】
【技術分野】
【０００１】
本発明は、飲料ボトルの外側を覆う飲料ボトル用カバーに関する。
【背景技術】
【０００２】
金属容器あるいはペットボトルに封入された飲料は、コンビニエンスストアあるいはスーパーマーケットにおいて陳列される他、自動販売機にも多く貯蔵される大量消費型商品の一つである。この種の飲料を封入した容器は、季節に合わせて加温状態あるいは冷蔵状態で消費者に購入される機会が多いことから、消費者が飲料を口にする際に、購入時の温度の確保、手にとったときの持ちやすさ、一次的に放置したときの結露の防止などの様々な課題が発生する。
【０００３】
例えば、飲料の温度変化の低減、容器表面の結露防止、持ちやすくすること等を目的とした筒状の飲物容器用カバーが知られている（例えば、特許文献１を参照）。この飲物容器用カバーは、飲料容器の胴部外周を覆う筒状の周側壁と底部とを備え、上部を開口させて成り、周側壁の上端部に舌片を延設する形態を有する。また、別のカバーとして、ペットボトルを持ち歩いたときの良好な体裁と結露防止等を目的とした、パイル編みの生地から成る本体の両端にゴム編み部分を設けたペットボトルカバーも知られている（例えば、特許文献２を参照）。
【先行技術文献】
【特許文献】
【０００４】
【特許文献１】特開２０００−１４２７８２号公報
【特許文献２】実用新案登録第３０６３３９９号公報
【発明の概要】
【発明が解決しようとする課題】
【０００５】
しかし、上記従来の飲料容器用カバーには次のような問題がある。まず、特許文献１に開示されるカバーは、飲料容器を入れる形状を保持しているため、持ち運び易さに欠ける。次に、特許文献２に開示されるカバーは、カバー本体をパイル編みの生地から構成しているため、使用していない時には若干小さくすることはできるが、極端に小さくはできないので持ち運びの利便性が依然として低い。
【０００６】
本発明は、上記課題を解決するためになされたものであって、飲料の保温性あるいは保冷性を向上させ、把持しても熱さや冷たさを感じにくくするとともに、不使用時の持ち運びに優れる飲料ボトル用カバーを提供することを目的とする。
【課題を解決するための手段】
【０００７】
上記目的を達成するための一実施の形態に係る飲料ボトル用カバーは、飲料ボトルの外側を覆うことのできる飲料ボトル用カバーであって、飲料ボトルの飲み口側から挿通可能な上部リング部と、上部リング部から筒状に延出して、飲料ボトルの外側面を被覆可能な筒状被覆部と、筒状被覆部の上部リング部と反対側に接続される下部リング部と、を備え、筒状被覆部が下部リング部を芯として上部リング部までリング状に巻回可能な構造を持つ。
【０００８】
別の実施の形態に係る飲料ボトル用カバーは、さらに、筒状被覆部が、それを上部リング部から下方に向かって延ばした際に、下部リング部が飲料ボトルの底部を超える長さを有するようにしても良い。
【０００９】
別の実施の形態に係る飲料ボトル用カバーは、また、筒状被覆部を第一ゴム状弾性体の膜から主に構成しても良い。
【００１０】
別の実施の形態に係る飲料ボトル用カバーは、さらに、第一ゴム状弾性体がシリコーンゴムを含むものでも良い。
【００１１】
別の実施の形態に係る飲料ボトル用カバーは、また、下部リング部が、少なくともその表面を第二ゴム状弾性体から構成するものであっても良い。
【００１２】
別の実施の形態に係る飲料ボトル用カバーは、さらに、第二ゴム状弾性体がシリコーンゴムを含むものであっても良い。
【００１３】
別の実施の形態に係る飲料ボトル用カバーは、また、上部リング部、筒状被覆部および下部リング部を一体とするゴム状弾性体から成るものでも良い。
【００１４】
別の実施の形態に係る飲料ボトル用カバーは、また、上部リング部と接続されあるいは別体にてリング状のタブを備えても良い。
【発明の効果】
【００１５】
本発明によれば、飲料の保温性あるいは保冷性を向上させ、把持しても熱さや冷たさを感じにくくするとともに、不使用時の持ち運びに優れる飲料ボトル用カバーを提供することができる。
【図面の簡単な説明】
【００１６】
【図１】図１は、本発明の実施の形態に係る飲料ボトル用カバーを巻回してたたんだ状態の斜視図（１Ａ）およびその上面から径方向に沿って切断したときの断面図（１Ｂ）をそれぞれ示す。
【図２】図２は、図１の飲料ボトル用カバーを飲料ボトルに装着する直前の斜視図を示す。
【図３】図３は、図１の飲料ボトル用カバーを飲料ボトルに装着する直前（３Ａ）、装着時（３Ｂ）、装着中（３Ｃ）および装着完了（３Ｄ）の推移を斜視にて示す。
【図４】図４は、図３と同様の推移を、飲料ボトル用カバーを断面視にて、また、飲料ボトルを側面視にてそれぞれ示す。
【図５】図５は、図１の飲料ボトル用カバーの変形例を飲料ボトルに装着した状態の斜視図を示す。
【図６】図６は、図１の飲料ボトル用カバーを構成するパーツのいくつかのバリエーション（６Ａ，６Ｂ，６Ｃ，６Ｄ，６Ｅ，６Ｆ）を例示する。
【発明を実施するための形態】
【００１７】
以下、本発明に係る飲料ボトル用カバーの実施形態について、図面を参照しながら説明する。なお、以下に説明する実施の形態は本発明を限定するものではなく、また実施の形態の中で説明されている諸要素およびその組み合わせの全てが本発明の解決手段に必須であるとは限らない。
【００１８】
図１は、本発明の実施の形態に係る飲料ボトル用カバーを巻回してたたんだ状態の斜視図（１Ａ）およびその上面から径方向に沿って切断したときの断面図（１Ｂ）をそれぞれ示す。図２は、図１の飲料ボトル用カバーを飲料ボトルに装着する直前の斜視図を示す。
【００１９】
この実施の形態に係る飲料ボトル用カバー１は、飲料ボトル１０の外側を覆うことのできるカバーであって、それをたたんだ状態の外形が中央に貫通穴４を有する略ドーナツ形状となるカバーである。飲料ボトル用カバー１は、飲料ボトル１０の飲み口側から挿通可能な上部リング部２と、上部リング部２から筒状に延出して、飲料ボトル１０の外側面を被覆可能な筒状被覆部３と、筒状被覆部３の上部リング部２と反対側に接続される下部リング部５と、を備える。
【００２０】
上部リング部２は、例えば、ゴム状弾性体、樹脂、金属、セラミックスあるいはガラスから好適に構成される。上部リング部２のより好適な材料は、シリコーンゴム；  ウレタンゴム；  エチレンプロピレンゴム；  ブチルゴム；  エチレンプロピレンジエンゴム；  ニトリルゴム；  エステル系、スチレン系、オレフィン系若しくはフッ素系等の熱可塑性エラストマーあるいはそれらの複合物；  ポリカーボネート、ポリエステル、ポリプロピレン、ポリアミドあるいはそれらの２以上のポリマーアロイである。特に、上部リング部２をゴム状弾性体から構成すると、上部リング部２の伸縮に応じて、拡径部１２の大きさが異なる２種以上の飲料ボトル１０に対して１種類の飲料ボトル用カバー１だけで対応できる。上部リング部２は、飲料ボトル１０のキャップ１１（直径：  Ｄ２）を挿通可能となる貫通穴４（直径：  Ｄ１、Ｄ１＞Ｄ２）を備える。貫通穴４の直径Ｄ１は、飲料ボトル１０のキャップ１１の下方に位置する拡径部１２の上部の外径Ｄ３より大きく、拡径部１２の下部の外径Ｄ４より小さい。このため、飲料ボトル用カバー１を飲料ボトル１０のキャップ１１側から挿通させると（矢印Ａの方向）、拡径部１２の途中に保持される。例えば、Ｄ２＝３７ｍｍ、Ｄ３＝３８ｍｍ、Ｄ４＝６５ｍｍの飲料ボトル１０に使用する飲料ボトル用カバー１は、Ｄ１＝３９〜６４ｍｍの範囲内の貫通穴４を有する上部リング部２を備えたカバーであるのが好ましい。
【００２１】
筒状被覆部３は、下部リング部５を芯として上部リング部２までリング状に巻回可能な構造を持つ。すなわち、筒状被覆部３は、ロールカーテンのように巻き上げ可能である。筒状被覆部３は、好ましくは、上部リング部２の内周側に接続されている。また、筒状被覆部３は、好ましくは、ゴム状弾性体（「第一ゴム状弾性体」と称する）の膜から主に成る。第一ゴム状弾性体としては、上部リング部２に用いることのできる上記各種のゴムあるいはエラストマーを用いることができ、その中でもより好ましくは、シリコーンゴムを主として含むゴム状弾性体を用いることができる。筒状被覆部３は、上部リング部２と一体化されていても良い。その場合、筒状被覆部３と上部リング部２とをゴム状弾性体で一体成形されたものを使用するのが好ましい。また、筒状被覆部３は、飲料ボトル１０の拡径部１２およびその下方に続く側壁部１３にフィットするように予め成形されるのが好ましい。筒状被覆部３の厚さは、好ましくは、０．５ｍｍ〜２．０ｍｍの範囲であり、より好ましくは０．８ｍｍ〜１．２ｍｍの範囲である。
【００２２】
下部リング部５は、飲料ボトル１０の側壁部１３を挿通可能な貫通穴を備える。下部リング部５は、上部リング部２あるいは筒状被覆部３と同様の材料から構成することができ、好ましくは、ゴム状弾性体（「第二ゴム状弾性体」と称する）から構成される。第二ゴム状弾性体としては、上部リング部２あるいは筒状被覆部３に用いることのできる上記各種のゴムあるいはエラストマーを用いることができ、その中でもより好ましくは、シリコーンゴムを主として含むゴム状弾性体を用いることができる。下部リング部５を第二ゴム状弾性体から構成すると、その貫通穴を側壁部１３の外径より若干小さく設計しておき、貫通穴を少し拡げながら側壁部１３を通過し、飲料ボトル１０の底部１４に達すると、少し縮んで元の穴径に戻るようにすることができる。この結果、下部リング部５を底部１４の下方に位置させ、筒状被覆部３が簡単に上方移動してしまうのを防止できる。
【００２３】
一方、下部リング部５の構造は、樹脂、金属、セラミックスあるいはガラスから成る芯材７（図６（６Ｃ）を参照）の表面に第二ゴム状弾性体を被覆した多重構造とすることもできる。すなわち、下部リング部５は、少なくともその表面を第二ゴム状弾性体から構成することができる。ここで、「少なくともその表面」であるから、第二ゴム状弾性体で構成する部分を該表面のみとしても良く、また該表面から中心までの全部であっても良い。この場合、下部リング部５は、飲料ボトル１０の側壁部１３を通過した後、収縮せずに、元の穴径を維持した状態になる。
【００２４】
飲料ボトル用カバー１は、同一種若しくは異種のゴム状弾性体からそれぞれ成る上部リング部２、筒状被覆部３および下部リング部５を備えるものでも良い。例えば、上部リング部２、筒状被覆部３および下部リング部５を全てシリコーンゴムから構成しても良い。また、上部リング部２と下部リング部５をウレタンゴムで構成し、筒状被覆部３をシリコーンゴムから構成しても良い。
【００２５】
図３は、図１の飲料ボトル用カバーを飲料ボトルに装着する直前（３Ａ）、装着時（３Ｂ）、装着中（３Ｃ）および装着完了（３Ｄ）の推移を斜視にて示す。図４は、図３と同様の推移を、飲料ボトル用カバーを断面視にて、また、飲料ボトルを側面視にてそれぞれ示す。
【００２６】
飲料ボトル用カバー１を飲料ボトル１０に装着する場合には、まず、飲料ボトル用カバー１を飲料ボトル１０のキャップ１１側（飲み口側に相当）から矢印Ａの方向に挿通する。すると、上部リング部２が、飲料ボトル１０の拡径部１２の途中で引っ掛かる。さらに、飲料ボトル用カバー１を押し下げると、上部リング部２を拡径部１２に残したまま、筒状被覆部３を側壁部１３の外表面に被せることができる。飲料ボトル用カバー１は、側壁部１３の下方に移動するに従い、筒状被覆部３を巻回した状態のリングの径が小さくなっていく。最後に、下部リング部５が飲料ボトル１０の底部１４より若干下方に位置するところで、筒状被覆部３を側壁部１３に被覆させる動作が終了する。このような状態を実現するために、筒状被覆部３は、好ましくは、それを上部リング部２から下方に向かって延ばした際に、下部リング部５が飲料ボトル１０の底部１４を超える長さを有する。例えば、上部リング部２の直下位置から下部リング部５までの筒状被覆部３の長さは、８０ｍｍ〜１５０ｍｍの範囲とすることができる。下部リング部５の下端と底部１４との距離Ｈ（図４（４Ｄ）を参照）は、特に制約は無いが、飲料ボトル１０が結露に起因する水の存在下で滑り、あるいは倒れるリスクを低減し、かつ確実に底部１４を浮かせるためには、例えば、１ｍｍ〜１０ｍｍの範囲、さらには、２ｍｍ〜５ｍｍの範囲であるのが好ましい。また、下部リング部５は、その表面あるいは全部をゴム状弾性体で形成すると、飲料ボトル１０が滑り、あるいは倒れるリスクがより低減する。
【００２７】
図５は、図１の飲料ボトル用カバーの変形例を飲料ボトルに装着した状態の斜視図を示す。
【００２８】
図５に示すように、飲料ボトル用カバー１は、上部リング部２と接続されるリング状のタブ６を備えても良い。タブ６は、上部リング部２の上面から上方に立ち上がった柱状部およびこれに接続されるリングから成る。タブ６は、これに紐などを通して、飲料ボトル１０を吊るし、あるいは紐を把持して持ち運ぶのに役立つ。なお、タブ６は、上部リング部２とは別体、さらには、筒状被覆部３や下部リング部５とも別体で設けることもできる。例えば、上部リング部２の直下に、リングを配置し、そのリングにタブ６を接続しても良い。
【００２９】
図６は、図１の飲料ボトル用カバーを構成するパーツのいくつかのバリエーション（６Ａ，６Ｂ，６Ｃ，６Ｄ，６Ｅ，６Ｆ）を例示する。
【００３０】
図６（６Ａ）は、上部リング部２と、筒状被覆部３と、下部リング部５とが一体となった飲料ボトル用カバー１を示す。例えば、上部リング部２、筒状被覆部３および下部リング部５の全てをシリコーンゴム等のゴム状弾性体で構成することができる。
【００３１】
図６（６Ｂ）は、上部リング部２を、筒状被覆部３および下部リング部５の一体化物と別体とした飲料ボトル用カバー１を示す。例えば、上部リング部２をポリカーボネート等の樹脂で構成し、筒状被覆部３および下部リング部５の一体化物をシリコーンゴム等のゴム状弾性体で構成することができる。
【００３２】
図６（６Ｃ）は、上部リング部２を、筒状被覆部３および下部リング部５の一体化物と別体とし、かつ下部リング部５の内部にリング状の芯材７を埋設した飲料ボトル用カバー１を示す。例えば、上部リング部２をポリカーボネート等の樹脂で構成し、筒状被覆部３および下部リング部５の一体化物をシリコーンゴム等のゴム状弾性体で構成し、芯材７をＳＵＳで構成することができる。
【００３３】
図６（６Ｄ）は、下部リング部５を、上部リング部２および筒状被覆部３の一体化物と別体とした飲料ボトル用カバー１を示す。例えば、下部リング部５をポリカーボネート等の樹脂で構成し、上部リング部２および筒状被覆部３の一体化物をシリコーンゴム等のゴム状弾性体で構成することができる。筒状被覆部３の下端を下部リング部５に巻回して固着する場合には、筒状被覆部３を図６（６Ａ，６Ｂ，６Ｃ）の筒状被覆部３に比べて長めに設計するのが好ましい。
【００３４】
図６（６Ｅ）は、上部リング部２を、筒状被覆部３および下部リング部５の一体化物と別体とした飲料ボトル用カバー１を示す。この形態では、上部リング部２は、筒状被覆部３の上部に挿入可能な拡径部位８を備える。ただし、拡径部位８は、筒状被覆部３の上部を覆う大きさでも良い。上部リング部２をポリカーボネート等の樹脂で構成し、筒状被覆部３および下部リング部５の一体化物をシリコーンゴム等のゴム状弾性体で構成することができる。
【００３５】
図６（６Ｆ）は、上部リング部２、筒状被覆部３、下部リング部５をそれぞれ別体とした飲料ボトル用カバー１を示す。この形態では、図６（６Ｅ）と同様、上部リング部２に、筒状被覆部３の上部を挿入できる若しくは該上部を被せることのできる拡径部位８を備える。上部リング部２および下部リング部５をポリカーボネート等の樹脂で構成し、筒状被覆部３をシリコーンゴム等のゴム状弾性体で構成することができる。筒状被覆部３の下端を下部リング部５に巻回して固着する場合には、筒状被覆部３を図６（６Ａ，６Ｂ，６Ｃ，６Ｅ）の筒状被覆部３に比べて長めに設計するのが好ましい。
【００３６】
以上、本発明の一実施の形態に係る飲料ボトル用カバー１について説明したが、本発明は、上記実施の形態に限定されず、種々変形を施して実施できる。
【００３７】
例えば、図１の飲料ボトル用カバー１を構成する筒状被覆部３は、上部リング部２の貫通穴４の内周縁部（周縁部の一例）近傍から下方に延出して形成されているが、上部リング部２の外周縁部（周縁部の一例）、あるいは周縁部以外の箇所（例えば、上部リング部２の下面の任意の位置）から延出して形成されていても良い。また、筒状被覆部３は、好ましくは第一ゴム状弾性体から構成されるが、樹脂フィルムのような非ゴム状弾性体で構成されていても良い。図６に示す各バリエーションは一例にすぎず、飲料ボトル用カバー１を構成する上部リング部２、筒状被覆部３および下部リング部５は、どのような形状、どのような組み合わせで一体化されていても良い。例えば、図６の例も含め、拡径部位８の有無および筒状被覆部３と一体化の有無を掛け合わせた合計４種類の上部リング部２の形態と、芯材８の有無および筒状被覆部と一体化の有無を掛け合わせた合計４種類の下部リング部５の形態とを掛け合わせて１６種類のバリエーションを採用することができる。
【産業上の利用可能性】
【００３８】
本発明は、飲料ボトル用のカバーに利用できる。
【符号の説明】
【００３９】
１    飲料ボトル用カバー
２    上部リング部
３    筒状被覆部
４    貫通穴
５    下部リング部
６    タブ
１０    飲料ボトル
１１    キャップ
１２    拡径部
１３    側壁部
１４    底部
【図１】
2017047904.tif 000003
【図２】
2017047904.tif 000004
【図３】
2017047904.tif 000005
【図４】
2017047904.tif 000006
【図５】
2017047904.tif 000007
【図６】
2017047904.tif 000008